(57)【要約】【課題】  頭部を安定的に固定して、列車等での睡眠において、より安眠できるようにした携帯用枕を提供する。【解決手段】  袋状の枕カバーとその内部に収納可能な空気袋からなる携帯用枕であって、上記空気袋は左右の膨出部と両膨出部を連通する連通部から構成するという手段を採用した。また、上記空気袋の左右の膨出部は縦長の楕円球状であり、互いの距離が下方に行くほど接近してなり、２条の連通部で互いに連通したものである。また、上記枕カバーの裏布は滑り止め加工を施したものである。【選択図】  図１
2005095470.tif 000002
【特許請求の範囲】
【請求項１】
袋状の枕カバーとその内部に収納可能な空気袋からなる携帯用枕であって、上記空気袋は左右の膨出部と両膨出部を連通する連通部から構成されていることを特徴とした携帯用枕。
【請求項２】
上記空気袋の左右の膨出部は縦長の楕円球状であり、互いの距離が下方に行くほど接近してなり、２条の連通部で互いに連通したものである請求項１記載の携帯用枕。
【請求項３】
上記枕カバーの裏布が滑り止め加工を施したものである請求項１又は請求項２記載の携帯用枕。
【請求項４】
上記枕カバーの左右端に固定紐取付部を設けた請求項１から請求項３の何れか１項に記載の携帯用枕。
【発明の詳細な説明】
【技術分野】
【０００１】
本発明は、列車、飛行機、自動車などの座席で睡眠をとる場合に使用する携帯用枕に関するものである。
【背景技術】
【０００２】
従来から携帯用枕としては、空気を封入して膨張可能な空気枕が種々提案されている。このうち、列車等の座席で使用するのに特に適するものとして、例えば空気枕の形状をＵ字形にして、このＵ字形を首筋の後ろに沿わすようにして装着するようにしたものが広く知られている（例えば、特許文献１参照）。
【０００３】
また、中央にくぼみを形成して頭部の安定を図った略ドーナツ状の空気枕も提案されている（例えば、特許文献２参照）。
【０００４】
【特許文献１】実開平６−３３５７６号公報
【特許文献２】特開平１０−３３３３９号公報
【発明の開示】
【発明が解決しようとする課題】
【０００５】
しかしながら、上記Ｕ字形のものは、頭部というより、むしろ首の後ろに膨出部分が当接するので、頭全体が持ち上げられたような体勢になり、頭部が固定されないという問題がある。また、後者の略ドーナツ状のものも、頭を固定するという点に関しては、なお、改善の余地が残されるものであった。
【０００６】
本発明は、従来の携帯用枕の上記問題点を解決するものであって、頭部を安定的に固定して、列車等での睡眠において、より安眠できるようにした携帯用枕を提供することを目的としたものである。
【課題を解決するための手段】
【０００７】
上記問題点を解決するため、本発明は、袋状の枕カバーとその内部に収納可能な空気袋からなる携帯用枕であって、上記空気袋は左右の膨出部と両膨出部を連通する連通部から構成するという手段を採用した。
【０００８】
また、上記空気袋の左右の膨出部は縦長の楕円球状であり、互いの距離が下方に行くほど接近してなり、２条の連通部で互いに連通したものであるという手段を採用した。
【０００９】
また、上記枕カバーの裏布が滑り止め加工を施したものであるという手段を採用した。
【００１０】
さらに、上記枕カバーの左右端に固定紐取付部を設けるという手段を採用した。
【発明の効果】
【００１１】
本発明にかかる携帯用枕は、枕カバー内に収納する空気袋を、左右の膨出部とそれを連通する連通部で構成したので、枕の中央部にくぼみが形成されて頭が収まると共に、枕の左右に膨出部による保持部分が形成され、後頭部を安定よく保持することができる。そのため頭が固定され安眠することができるようになった。
【００１２】
また、左右の膨出部は連通部で連通しているので、頭を傾けて左右どちらか一方に圧力がかかった場合にも、空気が移動して、安定よく頭部を保持できる。
【００１３】
特に、膨出部を縦長の楕円球状とし、両者の距離が下方に行くに従って近接するようにしたものは、膨出部が略逆三角形状を呈し、後頭部を安定よく保持でき、安眠を促すことができる。
【００１４】
一方、裏布に滑り止め加工を施すことにより、睡眠時に、枕が座席からずれることが無く、安眠を妨げない。
【００１５】
また、枕カバーの左右に設ける固定紐取付部に紐を等して枕を座席に固定することができるので、睡眠時に枕が移動することがない。
【発明を実施するための最良の形態】
【００１６】
以下、本発明にかかる携帯用枕の好ましい実施形態を添付した図面に従って詳細に説明する。図は、本発明の携帯用枕の一実施形態であって、図１（ａ）はその正面図、（ｂ）は背面図，（ｃ）は平面図、（ｄ）は右側面図である。また図２（ａ）は、後述するように、枕カバー内に収納する空気袋の正面図、（ｂ）は平面図である。
【００１７】
図１において、１は布で縫製した枕カバーであって、内部に空気袋２（仮想点線で示している。）を収納可能なように、袋状となっている。図示した実施形態では、一枚の表布１ａに対し、その裏面中央に幅広の裏布１ｂを縫着すると共に、当該裏布１ｂの左右端に一部分を重ねて脇布１ｃ、１ｃを表布１ａの左右端に縫着している。裏布１ｂと脇布１ｃが重なった部分は互いに縫着せず、空気袋２の出し入れ口となる。
【００１８】
表布１ａは後頭部に密着する部分であり、肌触りのよい布で形成することが好ましい。また、裏面の裏布１ｂおよび脇布１ｃは座席の背もたれに密着する部分であり、少なくとも裏布１ｂには滑り止め加工を施した布を採用して、枕の使用中に位置ずれを起こさないようにすることが好ましい。
【００１９】
また、枕カバーの左右端には例えばループ状の紐からなる固定紐取付部１ｄを設けている。これは、図示しない長尺の固定紐またはベルト等を通して、この携帯用枕を座席に固定できるようにしたものである。この固定紐取付部１ｄは、必ずしもループ状の紐に限定するものではなく、鳩目等の紐通しであってもよい。
【００２０】
次に、図２（ａ）は上記枕カバー１内に収納する空気袋２の正面図、（ｂ）は平面図であって、図において、２ａ、２ａは楕円球状の膨出部、２ｂ、２ｂは棒状の連通部である。また、２ｃは空気吹き込み口である。この空気袋２は、図示形状に裁断した可撓性の合成樹脂シートを２枚重ねたうえ、外周縁および中央部を溶着線２ｄで溶着して形成する。この空気袋２に空気を吹き込むと、同図（ｂ）に示すように、左右の膨出部２ａが連通部２ｂで連通し、肉厚の膨出部２ａと、肉薄の連通部２ｂが形成される。また、左右の膨出部２ａは互いの間隔が下方に行くほど接近するように、概略逆三角形状を呈している。
【００２１】
次に、この携帯用枕の使用方法について説明すると、不使用時には空気袋の空気を抜いておくことによって扁平となるので、そのまま折り畳んだり丸めたりして携帯する。扁平状態では、きわめて小さくなるので、携行に便利である。
【００２２】
使用時には、空気袋を取り出し、空気吹き込み口２ｃから空気を吹き込んで空気袋２をふくらます。ふくらんだ空気袋２を上記枕カバー１の裏布１ｂと脇布１ｃの隙間から枕カバー１内に収納する。これにより、枕は図１（ｃ）に示されるように、左右が膨出し、中央部がくぼんだ形状となる。また、正面（図１（ａ））から見ると、膨出部が下に行くほど互いの間隔が接近して狭くなっている。かかる形状の枕を後頭部にあてがうと、中央部のくぼみに後頭部が収まり、これを左右の逆三角状の膨出部が斜め上方に後頭部を保持する形となり、後頭部から首筋にかけてきわめて安定した形態となる。従って、そのまま座席の背もたれにもたれ掛かれば、頭部が安定して固定され、リラックスした心情となり、安眠を促す。
【００２３】
また、頭を左右に動かしても、左右の膨出部２ａが連通部２ｂで連通しているので、圧力差によって空気袋２内を空気が移動して、左右の膨出部２ａのふくらみ方が変化し、常に後頭部に密着するようになるので、安眠を妨げることがない。
【００２４】
このとき、裏布１ｂには滑り止め加工が施してあるので、座席に密着し、揺れなどで頭部が位置ずれを起こすことが無く、安眠を妨げない。また、固定紐等で枕を座席に固定すれば、枕の位置ずれは確実に回避される。
【００２５】
なお、この携帯用枕は、空気袋２の空気を抜いた状態では扁平となるので、固定紐取付部１ｄに紐を取り付ければ、アイマスクとしても兼用できる。
【図面の簡単な説明】
【００２６】
【図１】（ａ）は本発明の携帯用枕の正面図、（ｂ）は背面図、（ｃ）は平面図、（ｄ）は右側面図である。
【図２】（ａ）は空気袋の正面図、（ｂ）は平面図である。
【符号の説明】
【００２７】
１    枕カバー
１ａ  表布
１ｂ  裏布
１ｃ  脇布
１ｄ  固定紐取付部
２    空気袋
２ａ  膨出部
２ｂ  連通部
【図１】
2005095470.tif 000003
【図２】
2005095470.tif 000004